(57)【特許請求の範囲】
【請求項１】
表示素子と、この表示素子により表示された映像を使用者の眼に投影する光学系とを含む表示部と、
この表示部を使用者の頭部に支持する支持手段と、
を備えた頭部装着型ディスプレイであって、
上記支持手段は、上記頭部装着型ディスプレイ本体に設けられた複数の支持部から選択される支持部を用いて、上記表示部を使用者の頭部に支持する支持形態を２つ以上備え、各支持形態では上記支持部の選択が異なっており、これらの支持形態を切り替えることができるように構成されたものであることを特徴とする頭部装着型ディスプレイ。
【請求項２】
表示素子と、この表示素子により表示された映像を使用者の眼に投影する光学系とを含む表示部と、
この表示部を使用者の頭部に支持する支持手段と、
を備えた頭部装着型ディスプレイであって、
上記支持手段は、
上記表示部を使用者の頭部に支持する形態を２つ以上備え、これらの支持形態を切り替えることができるように構成され、
第１の支持形態において、使用者の側頭部と後頭部の少なくとも一方に当接することにより、上記表示部を使用者の頭部に支持可能な第１支持部と、
第２の支持形態において、上記表示部を使用者の頭部に支持可能とするものであって、上記第１の支持形態においては当該頭部装着型ディスプレイに収納されている第２支持部と、
上記表示部の使用者の頭部への支持を、上記第１の支持形態から上記第２の支持形態に切り替える際に、上記第１支持部を使用者による映像の観察を妨げない位置に折り畳んで収納する折り畳み機構と、
を有して構成されていることを特徴とする頭部装着型ディスプレイ。
【請求項３】
上記第２支持部は、ベルト状部材を有して構成されていることを特徴とする請求項２に記載の頭部装着型ディスプレイ。
【請求項４】
上記第２支持部を収納する頭部装着型ディスプレイの部位は、上記第１支持部であることを特徴とする請求項３に記載の頭部装着型ディスプレイ。
【請求項５】
上記第１支持部が折り畳んで収納される、使用者による映像の観察を妨げない位置は、上記表示部を挟んで使用者の頭部の反対側であることを特徴とする請求項２に記載の頭部装着型ディスプレイ。
【請求項６】
上記第１支持部が折り畳んで収納される、使用者による映像の観察を妨げない位置は、上記表示部に対して使用者の頭部側であり、当該第１支持部は、上記第２の支持形態においては使用者の額に当接して、上記表示部と使用者の眼との距離を適切に保持する機能を果たすものであることを特徴とする請求項２に記載の頭部装着型ディスプレイ。
【請求項７】
上記第１支持部は、上記表示部に連設される第１の部材と、この第１の部材に対して回動可能な第２の部材とを有して構成され、この第２の部材は、上記第２の支持形態において使用者の側頭部の前部に当接する位置まで回動されて、上記第２支持部による使用者の頭部への支持を補助する機能を果たすものであることを特徴とする請求項２に記載の頭部装着型ディスプレイ。
【請求項８】
上記支持手段は、
使用者の側頭部と後頭部の少なくとも一方に当接することにより、上記表示部を使用者の頭部に支持可能な支持部と、
この支持部を、該支持部の長手方向に沿った自転軸周りに回転させることにより上記支持形態を切り替える回動機構と、
を有して構成されていることを特徴とする請求項１に記載の頭部装着型ディスプレイ。
【請求項９】
上記支持部は、使用者の頭部の大きさに対応するべく、上記自転軸に対して径の異なる複数の面を有して形成されていることを特徴とする請求項８に記載の頭部装着型ディスプレイ。
【請求項１０】
上記支持部は、使用者の頭部に当接する面の少なくとも一部に、頭部への当接圧力を拡散する弾性部材が配設されていることを特徴とする請求項８に記載の頭部装着型ディスプレイ。
【請求項１１】
上記支持手段は、使用者の側頭部と後頭部の少なくとも一方に当接することにより、上記表示部を使用者の頭部に支持可能であって、
上記表示部に連設される第１の部材と、
この第１の部材に連設される第２の部材と、
この第２の部材を上記第１の部材に対して使用者の頭頂部側に回動させることにより上記支持形態を切り替える回動機構と、
を有して構成されていることを特徴とする請求項１に記載の頭部装着型ディスプレイ。
【請求項１２】
表示素子と、この表示素子により表示された映像を使用者の眼に投影する光学系とを含む表示部と、
この表示部を使用者の頭部に支持する支持手段と、
を備えた頭部装着型ディスプレイであって、
上記支持手段は、
上記表示部を使用者の頭部に支持する形態を２つ以上備え、これらの支持形態を切り替えることができるように構成され、
第１の支持形態において、使用者の側頭部と後頭部の少なくとも一方に当接することにより、上記表示部を使用者の頭部に支持可能な第１支持部と、
第２の支持形態において、使用者の額に当接することにより、上記表示部と使用者の眼との距離を適切に保持する機能を果たすものであって、上記第１の支持形態においては上記表示部に収納されている第２支持部と、
を有して構成されていることを特徴とする頭部装着型ディスプレイ。
【発明の詳細な説明】
【０００１】
【発明の属する技術分野】
本発明は、頭部装着型ディスプレイ、より詳しくは、映像を表示する表示部を使用者の頭部に支持させて用いる頭部装着型ディスプレイに関する。
【０００２】
【従来の技術】
近年、頭部に装着して用いることにより、装着した使用者のみが映像や音声を鑑賞することができる頭部装着型ディスプレイが開発されている。
【０００３】
このようなものの一例として特開平４−２３５８１号公報には、装置本体内に、光源と、該光源により照写される液晶パネルとを備え、上記装置本体を頭部に装着して上記光源により上記液晶パネルの映像を眼球の網膜に投影させるようにした映像表示装置において、上記装置本体の両側に該装置本体を顔面に装着させる一対のフレームを設け、この一対のフレームの間隔を調整機構により調整自在に構成した映像表示装置が記載されていて、メガネフレームに類似した支持形態をとるようになっている。
【０００４】
また、特開平５−２６４９４６号公報には、装置本体の背面両側に該装置本体を顔面に装着させる一対の柄を折り畳み自在に設け、この装置本体の顔面装着時に、該装置本体内に備えられた一対の映像表示手段の各映像を一対の接眼レンズによって拡大して左右の眼球の網膜に投影させるようにした眼鏡型映像表示装置において、上記一対の柄にヘアバンドの両側を回転自在に支持し、このヘアバンドの中途部を上記一対の柄と共に折畳み自在に構成した眼鏡型映像表示装置が記載されている。
【０００５】
さらに、特開平６−１４１２６０号公報には、装置本体の背面両側に該装置本体を顔面に装着させる一対の柄を折畳み自在に設け、この装置本体の顔面装着時に、該装着本体内に備えられた一対の映像表示手段の各映像を一対の接眼レンズによって拡大して左右の眼球の網膜に投影させるようにした眼鏡型映像表示装置において、上記装置本体の背面両側に一対のヒンジ部を回転自在に支持し、この一対のヒンジ部に上記一対の柄の先端側をそれぞれピン枢支して該各柄を装置本体の背面側に折畳み自在に設ける共に各ヒンジ部を中心にして各柄を上下方向に回転自在に設けた眼鏡型映像表示装置が記載されていて、基本的には上記装置本体をリング状をなす長さ調節可能なバンド状の支持部材により頭部に装着させるものとなっている。
【０００６】
こうした頭部装着型ディスプレイは、上述したように頭部に装着して用いる個人仕様となっているために、通常は、立った姿勢や、座った姿勢、あるいは寝た姿勢など、使用者が様々な姿勢をとった状態で鑑賞することが可能である。
【０００７】
【発明が解決しようとする課題】
しかしながら、上記特開平４−２３５８１号公報に記載のものでは、立った姿勢や座った姿勢などにおける通常の姿勢においては良好な装着状態を得ることができる一方で、両耳と鼻の３点により支持するメガネフレームに類似した支持形態であるために、寝た姿勢で使用する場合には頭部装着型ディスプレイに作用する重力の方向が変化し、該頭部装着型ディスプレイが頭頂部の方向にずれて観察ができなくなることがあった。
【０００８】
また、上記特開平５−２６４９４６号公報に記載のものにおいても、通常の姿勢においては良好な装着状態を得ることができる一方で、上記一対の柄の端部が耳の後ろ側まで延出しているために、寝た姿勢で使用するとき、特に寝返りを打つときなどには、頭部装着型ディスプレイの装着位置がずれる原因となっていた。また、上記ヘアバンドは、寝た姿勢で使用するときに、積極的に頭部への装着を助けるものとはなっていなかった。
【０００９】
さらに、上記特開平６−１４１２６０号公報に記載のものでは、基本的にはバンド支持のみであるために、通常の姿勢においても頭部への締め付け感が発生してしまうことになる。通常の姿勢においては、こうしたバンド支持よりも締め付け感の少ないメガネフレーム形状の支持部の方が望ましい。
【００１０】
このように、従来より提案されている頭部装着型ディスプレイでは、頭部に装着する支持形態が単一であったために、上述したような複数の姿勢において良好な装着状態を得ることが難しかった。
【００１１】
本発明は上記事情に鑑みてなされたものであり、使用者が複数の姿勢を取った場合にも良好な装着状態を得ることができる頭部装着型ディスプレイを提供することを目的としている。
【００１２】
【課題を解決するための手段】
上記の目的を達成するために、第１の発明による頭部装着型ディスプレイは、 表示素子と、この表示素子により表示された映像を使用者の眼に投影する光学系とを含む表示部と、この表示部を使用者の頭部に支持する支持手段と、を備えた頭部装着型ディスプレイであって、上記支持手段は、上記頭部装着型ディスプレイ本体に設けられた複数の支持部から選択される支持部を用いて、上記表示部を使用者の頭部に支持する支持形態を２つ以上備え、各支持形態では上記支持部の選択が異なっており、これらの支持形態を切り替えることができるように構成されたものである。
【００１３】
また、第２の発明による頭部装着型ディスプレイは、表示素子と、この表示素子により表示された映像を使用者の眼に投影する光学系とを含む表示部と、この表示部を使用者の頭部に支持する支持手段と、を備えた頭部装着型ディスプレイであって、上記支持手段は、上記表示部を使用者の頭部に支持する形態を２つ以上備え、これらの支持形態を切り替えることができるように構成され、第１の支持形態において、使用者の側頭部と後頭部の少なくとも一方に当接することにより、上記表示部を使用者の頭部に支持可能な第１支持部と、第２の支持形態において、上記表示部を使用者の頭部に支持可能とするものであって、上記第１の支持形態においては当該頭部装着型ディスプレイに収納されている第２支持部と、上記表示部の使用者の頭部への支持を、上記第１の支持形態から上記第２の支持形態に切り替える際に、上記第１支持部を使用者による映像の観察を妨げない位置に折り畳んで収納する折り畳み機構と、を有して構成されているものである。
【００１４】
さらに、第３の発明による頭部装着型ディスプレイは、上記第２の発明による頭部装着型ディスプレイにおいて、上記第２支持部がベルト状部材を有して構成されているものである。
【００１５】
第４の発明による頭部装着型ディスプレイは、上記第３の発明による頭部装着型ディスプレイにおいて、上記第２支持部を収納する頭部装着型ディスプレイの部位が、上記第１支持部である。
【００１６】
第５の発明による頭部装着型ディスプレイは、上記第２の発明による頭部装着型ディスプレイにおいて、上記第１支持部が折り畳んで収納される使用者による映像の観察を妨げない位置は、上記表示部を挟んで使用者の頭部の反対側である。
【００１７】
第６の発明による頭部装着型ディスプレイは、上記第２の発明による頭部装着型ディスプレイにおいて、上記第１支持部が折り畳んで収納される使用者による映像の観察を妨げない位置は、上記表示部に対して使用者の頭部側であり、当該第１支持部は、上記第２の支持形態においては使用者の額に当接して、上記表示部と使用者の眼との距離を適切に保持する機能を果たすものである。
【００１８】
第７の発明による頭部装着型ディスプレイは、上記第２の発明による頭部装着型ディスプレイにおいて、上記第１支持部が、上記表示部に連設される第１の部材と、この第１の部材に対して回動可能な第２の部材とを有して構成され、この第２の部材は上記第２の支持形態において使用者の側頭部の前部に当接する位置まで回動されて、上記第２支持部による使用者の頭部への支持を補助する機能を果たすものである。
【００１９】
第８の発明による頭部装着型ディスプレイは、上記第１の発明による頭部装着型ディスプレイにおいて、上記支持手段が、使用者の側頭部と後頭部の少なくとも一方に当接することにより上記表示部を使用者の頭部に支持可能な支持部と、この支持部を該支持部の長手方向に沿った自転軸周りに回転させることにより上記支持形態を切り替える回動機構とを有して構成されているものである。
【００２０】
第９の発明による頭部装着型ディスプレイは、上記第８の発明による頭部装着型ディスプレイにおいて、上記支持部が、使用者の頭部の大きさに対応するべく上記自転軸に対して径の異なる複数の面を有して形成されているものである。
【００２１】
第１０の発明による頭部装着型ディスプレイは、上記第８の発明による頭部装着型ディスプレイにおいて、上記支持部が、使用者の頭部に当接する面の少なくとも一部に、頭部への当接圧力を拡散する弾性部材が配設されているものである。
【００２２】
第１１の発明による頭部装着型ディスプレイは、上記第１の発明による頭部装着型ディスプレイにおいて、上記支持手段が、使用者の側頭部と後頭部の少なくとも一方に当接することにより上記表示部を使用者の頭部に支持可能であって、上記表示部に連設される第１の部材と、この第１の部材に連設される第２の部材と、この第２の部材を上記第１の部材に対して使用者の頭頂部側に回動させることにより上記支持形態を切り替える回動機構とを有して構成されているものである。
【００２３】
第１２の発明による頭部装着型ディスプレイは、表示素子と、この表示素子により表示された映像を使用者の眼に投影する光学系とを含む表示部と、この表示部を使用者の頭部に支持する支持手段と、を備えた頭部装着型ディスプレイであって、上記支持手段は、上記表示部を使用者の頭部に支持する形態を２つ以上備え、これらの支持形態を切り替えることができるように構成され、第１の支持形態において、使用者の側頭部と後頭部の少なくとも一方に当接することにより、上記表示部を使用者の頭部に支持可能な第１支持部と、第２の支持形態において、使用者の額に当接することにより、上記表示部と使用者の眼との距離を適切に保持する機能を果たすものであって、上記第１の支持形態においては上記表示部に収納されている第２支持部と、を有して構成されているものである。
【００２４】
従って、第１の発明による頭部装着型ディスプレイは、表示部の表示素子が映像を表示して、表示部の光学系がこの映像を使用者の眼に投影し、支持手段が上記表示部を使用者の頭部に支持し、その際に、上記支持手段による２つ以上の支持形態が切り替えられる。
【００２５】
また、第２の発明による頭部装着型ディスプレイは、上記支持手段の第１支持部が第１の支持形態において使用者の側頭部と後頭部の少なくとも一方に当接することにより上記表示部を使用者の頭部に支持し、上記支持手段の第２支持部が第２の支持形態において上記表示部を使用者の頭部に支持する一方で上記第１の支持形態においては当該頭部装着型ディスプレイに収納され、上記支持手段の折り畳み機構が上記表示部の使用者の頭部への支持を上記第１の支持形態から上記第２の支持形態に切り替える際に上記第１支持部を使用者による映像の観察を妨げない位置に折り畳んで収納する。
【００２６】
さらに、第３の発明による頭部装着型ディスプレイは、上記第２支持部がベルト状部材を有して構成される。
【００２７】
第４の発明による頭部装着型ディスプレイは、上記第２支持部を収納する頭部装着型ディスプレイの部位が上記第１支持部となるように構成される。
【００２８】
第５の発明による頭部装着型ディスプレイは、上記第１支持部が折り畳んで収納される使用者による映像の観察を妨げない位置が上記表示部を挟んで使用者の頭部の反対側となる。
【００２９】
第６の発明による頭部装着型ディスプレイは、上記第１支持部が折り畳んで収納される使用者による映像の観察を妨げない位置が上記表示部に対して使用者の頭部側となり、当該第１支持部は上記第２の支持形態においては使用者の額に当接して上記表示部と使用者の眼との距離を適切に保持する機能を果たす。
【００３０】
第７の発明による頭部装着型ディスプレイは、上記第１支持部が上記表示部に連設される第１の部材とこの第１の部材に対して回動可能な第２の部材とを有し、この第２の部材は上記第２の支持形態において使用者の側頭部の前部に当接する位置まで回動されて、上記第２支持部による使用者の頭部への支持を補助する機能を果たす。
【００３１】
第８の発明による頭部装着型ディスプレイは、上記支持手段の支持部が使用者の側頭部と後頭部の少なくとも一方に当接することにより上記表示部を使用者の頭部に支持し、上記支持手段の回動機構がこの支持部を該支持部の長手方向に沿った自転軸周りに回転させることにより上記支持形態を切り替える。
【００３２】
第９の発明による頭部装着型ディスプレイは、上記支持部が、使用者の頭部の大きさに対応するべく上記自転軸に対して径の異なる複数の面を有して形成されている。
【００３３】
第１０の発明による頭部装着型ディスプレイは、上記支持部が、使用者の頭部に当接する面の少なくとも一部に弾性部材が配設され、この弾性部材が頭部への当接圧力を拡散する。
【００３４】
第１１の発明による頭部装着型ディスプレイは、上記支持手段が使用者の側頭部と後頭部の少なくとも一方に当接することにより上記表示部を使用者の頭部に支持し、上記支持手段の第１の部材が上記表示部に連設され、上記支持手段の第２の部材がこの第１の部材に連設され、上記支持手段の回動機構がこの第２の部材を上記第１の部材に対して使用者の頭頂部側に回動させることにより上記支持形態を切り替える。
【００３５】
第１２の発明による頭部装着型ディスプレイは、上記支持手段の第１支持部が第１の支持形態において使用者の側頭部と後頭部の少なくとも一方に当接することにより上記表示部を使用者の頭部に支持し、上記支持手段の第２支持部が第２の支持形態において使用者の額に当接することにより上記表示部と使用者の眼との距離を適切に保持する機能を果たす一方で、上記第１の支持形態においては上記表示部に収納される。
【００３６】
【発明の実施の形態】
以下、図面を参照して本発明の実施の形態を説明する。
図１から図３６は本発明の一実施形態を示したものであり、図１は頭部装着型ディスプレイの基本的な構成を示す側面図である。
【００３７】
この頭部装着型ディスプレイ１は、使用者の眼前に配置される本体表示部２と、この本体表示部２を支持するために使用者の側頭部から耳にかけて必要に応じて後頭部側まで延出して配置される左右一対の支持手段たる支持部３と、同様に上記本体表示部２を支持するために使用者の鼻にかけて配置される鼻当て部材４とを有して構成されている。
【００３８】
上記本体表示部２の内部には、電装基板１１と、この電装基板１１上の制御素子等により制御されていて光学的な映像を表示するための表示素子１２と、この表示素子１２により表示される映像を使用者の眼に投影するための光学系１３とが設けられており、この光学系１３から投影される映像は表示窓１４を介して観察されるようになっている。
【００３９】
このような頭部装着型ディスプレイ１には、さらに、使用者の額に当接して当該頭部装着型ディスプレイ１がずれるのを防止するための第２支持部たる額当て部材５が設けられている。
【００４０】
この額当て部材の一例について図２から図４を参照して説明する。図２は頭部装着型ディスプレイの第１の支持形態を示す側面図、図３は頭部装着型ディスプレイの第１の支持形態を示す平面図、図４は頭部装着型ディスプレイの第２の支持形態を示す側面図である。
【００４１】
この額当て部材５は、左右の水平方向に設けられた軸５ａを介して、上記本体表示部２に回動可能に取り付けられており、先端部には額と当接する際の接触感覚を向上させるとともに滑り等を防止するための例えばゴム等で構成された弾性部材５ｂが設けられている。この弾性部材５ｂは、額当て部材５に一体に設けても構わないが、例えばカバー状に構成して、該額当て部材５に交換可能となるように装着させても良い。
【００４２】
このような額当て部材５は、使用者が立っている状態や椅子に腰掛けている状態などの、頭部が正立している通常の使用状態（第１の支持形態）においては、図２等に示すように、斜め下方向に傾倒された額には当接しない収納状態となるように構成されている。
【００４３】
一方、図４に示すように、使用者が仰臥している状態などの、頭部が横向きとなって顔面が上方を向いている状態（第２の支持形態）においては、額当て部材５は、重力の作用によって自動的に上記軸周りに回転して持ち上がった状態となり、使用者の額に当接して眼と本体表示部２との間隔を適切な距離に保つとともに、ずれたりすることのないように保持するようになっている。
【００４４】
また、図５は額当て部材の他の例を示す側面図、図６は上記図５のＡ−Ａ断面図である。
【００４５】
この額当て部材５Ａは、断面略Ｔ字形状をなす係合部５ｃを下方に突設しており、全体として略Ｈ字形状となっている。そしてこの係合部５ｃが、本体表示部２の外装部材２ａの内面側に設けられた摺動溝２ｂに嵌合することにより、額当て部材５Ａは、本体表示部２に対して前後方向にスライドして移動するようになっている。さらに、上記摺動溝２ｂには収納位置や突出位置に対応する位置に係止凹部２ｃが設けられており、上記係合部５ｃの摺動凸部５ｄがこの係止凹部２ｃに係合することでクリック感を発生するようになっている。
【００４６】
次に、上記支持部３の構成について図７から図１２を参照して説明する。図７は頭部装着型ディスプレイの支持部の第１の支持形態を示す斜視図、図８は頭部装着型ディスプレイの支持部の第２の支持形態を示す斜視図、図９は頭部装着型ディスプレイの支持部を第１の支持形態から第２の支持形態へ変化させるときの様子を示す平面図および側面図、図１０は上記図９のＢ−Ｂ断面図、図１１は頭部装着型ディスプレイの支持部の第２の支持形態を示す平面図、図１２は頭部装着型ディスプレイの支持部の第１の支持形態を示す側面図である。
【００４７】
この支持部３は、本体表示部２に対して左右水平方向の軸周りに回動可能な支持部基部６と、この折り畳み機構を構成する支持部基部６に対してヒンジ部６ａを介して上下方向の回転軸周りに回動可能に枢支された第１支持部たる支持アーム部７と、この支持アーム部７の外側の側面に取り付けられた第２支持部たるバンド部１５とを有して構成されている。
【００４８】
上記バンド部１５は、例えばゴム等の素材を用いて適宜の幅に形成した弾性部材であり、その一端側が支持アーム部７の外側面の前方側に穿設された孔７ａを介して断面略コの字形状（図１０参照）をなす該支持アーム部７内に挿入され、先端部に抜け防止用のストッパ１６ｃが取り付けられている。また、このバンド部１５の他端側にはバンド結合部１６ａ，１６ｂが設けられていて、支持アーム部７の外側面の後方側に穿設された係止用孔７ｂに係合されるようになっている。
【００４９】
このような支持部３は、上記第１の支持形態においては、図７に示すように、本体表示部２から使用者の側頭部に沿った形状で突設されている。
【００５０】
なお、上述したように支持部基部６は本体表示部２に対して回動可能であるために、この第１の支持形態では、図１２に示すように、支持アーム部７が水平に対してなす角度αを調節することができるようになっている。これにより、支持アーム部７と使用者の耳との間に間隔を空けないように調整することができて、、頭部装着型ディスプレイ１の装着性を向上させることが可能である。
【００５１】
この第１の支持形態から上記第２の支持形態への移行は、図９に示すように行われる。
【００５２】
まず、図９（Ｂ）に示すように、支持部基部６を本体表示部２に対して回動させて、前方側に反転させる。次に、この支持部基部６に伴って前方側に反転された支持アーム部７を図９（Ａ）に示すように本体表示部２の前面側に沿って折り畳む。
【００５３】
そして、バンド部１５のバンド結合部１６ａ，１６ｂを係止用孔７ｂから取り外して、使用者の側頭部から後頭部を回り込ませた後に、一方のバンド結合部１６ａと他方のバンド結合部１６ｂを連結することにより、左右のバンド部１５が結合されるようになっている。
【００５４】
こうして上記第２の支持形態においては、図８，図１１に示すような状態となる。
【００５５】
なお、仰臥した姿勢では使用者の後頭部が布団や枕、床といったものに当接するのを考慮して、左右のバンド部１５のバンド結合部１６ａ，１６ｂによる結合位置は、後頭部よりも左右何れかの側頭部に片寄った位置となるように構成されている。
【００５６】
次に、図１３から図１７を参照して、上記支持部３の構成の第２の例について説明する。図１３は第２の構成例の支持部の第１の支持形態を示す斜視図、図１４は第２の構成例の支持部の第２の支持形態を示す斜視図、図１５は第２の構成例の支持部を第１の支持形態から第２の支持形態へ変化させるときの様子を示す平面図、図１６は第２支持アーム部の変形例を示す要部平面図、図１７は第２の構成例の支持部を折り畳んだ状態を示す背面図である。
【００５７】
この支持部３は、上記支持部基部６と、この支持部基部６に対してヒンジ部６ａを介して回動可能に枢支された第１の部材たる第１支持アーム部７Ａと、この第１支持アーム部７Ａに対して摺動自在に取り付けられた第２の部材たる第２支持アーム部７Ｂとを有して構成されている。
【００５８】
上記バンド部１５は、支持部基部６内に巻回して収納されていて、この巻回収納部１５ａは、例えばロック機構を有するばね等により、バンド部１５を巻き取る方向に付勢されている。そして、バンド結合部１６ａ，１６ｂ等を摘んでバンド部１５を外部に引き出すと、その引き出した位置でロックされるようになっている。これにより、使用者は、自分の頭部の大きさに合わせて、適切なバンド長さを自由に調節することが可能である。
【００５９】
またバンド部１５を再び支持部基部６内に収納する際には、該支持部基部６の側部に設けられたバンド巻取ボタン１７を押圧することにより、上記ロック機構によるロックが外れて、ばねの付勢力により自動的に内部に巻き取られるようになっている。
【００６０】
上記第２支持アーム部７Ｂは、弾性部材により形成されていて、第２の支持形態において上記額当て部材５や弾性部材５ｂと同様の役割を果たすようになっている。
【００６１】
すなわち、図１３に示すような第１の支持形態から図１４に示すような第２の支持形態に移行する際には、第２支持アーム部７Ｂを第１支持アーム部７Ａ側に摺動して短縮させ、ヒンジ部６ａにより第１支持アーム部７Ａおよび第２支持アーム部７Ｂを折り畳むようになっている。このとき、図１５，図１７に示すように、第２支持アーム部７Ｂは互いに幅Ｗをもって重なるようになっていて、この部分が使用者の額に当接する部位となる。
【００６２】
このような構成により、この例においては上記額当て部材５や弾性部材５ｂが不要となっている。
【００６３】
なお、上述では第２支持アーム部７Ｂ自体を弾性部材により構成したが、例えば図１６に示すように、第２支持アーム部７Ｂ’の額に当接する部分のみに弾性部材７ｃを貼設するようにしても良い。
【００６４】
続いて、図１８から図２５を参照して、上記支持部３の構成の第３の例について説明する。図１８は第３の構成例の支持部の第１の支持形態を示す斜視図、図１９は第３の構成例の支持部の第２の支持形態を示す斜視図、図２０は第３の構成例の支持部を第１の支持形態から第２の支持形態へ変化させるときの様子を示す平面図、図２１は第３の構成例の支持部を折り畳んだ状態を示す背面図、図２２は収納時と伸長時のバンド部を示す平面図、図２３は他の構成例のバンド部の一部を示す斜視図、図２４は収納時と伸長時の他の構成例のバンド部を示す平面図、図２５は第１支持アーム部内におけるバンド部の収納状態の各種の例を示す平面図である。
【００６５】
この支持部３は、上記支持部基部６と、この支持部基部６に対してヒンジ部６ａを介して回動可能に枢支された第１の部材たる第１支持アーム部７Ｃと、この第１支持アーム部７Ｃに対してヒンジ部７ｄを介して回動可能に支持された第２の部材たる第２支持アーム部７Ｄとを有して構成されている。
【００６６】
上記第１支持アーム部７Ｃは、内部に折り畳み式の第２支持部たるバンド部１５Ａを収納する略枠形状の部材であり、外側面側に上記バンド部１５Ａを取り出すための矩形孔７ｅが形成されている。
【００６７】
また、上記第２支持アーム部７Ｄは、弾性部材により形成されていて、図１８に示すような第１の支持形態においては使用者の耳に良好な接触感を与えるとともに、図１９に示すような第２の支持形態においては、上記ヒンジ部７ｄにより内側に折り曲げられて、使用者の側頭部に接触して保持性をより高めるようになっている。
【００６８】
なお、上記第２支持アーム部７Ｄ自体を弾性部材により構成する代わりに、第２支持アーム部７Ｄの外側面７ｆに弾性部材を貼設して構成しても良い。
【００６９】
上記バンド部１５Ａは、例えばポリプロピレン等の素材により、図２２に示すように、複数のヒンジを一体に有して構成されており、一端側がヒンジ部１５ｂにより第１支持アーム部７Ｃ内の上記ヒンジ部７ｄ近傍に回動可能に取り付けられるとともに、他端側に上記バンド結合部１６ａまたはバンド結合部１６ｂが設けられている。
【００７０】
そして、図１８に示すような第１の支持形態から図１９に示すような第２の支持形態へは、図２０に示すように移行させる。
【００７１】
すなわちまず符号Ｈ１に示すように、第２支持アーム部７Ｄをヒンジ部７ｄ周りに回転させて、第１支持アーム部７Ｃの内側に折り畳む。次に符号Ｈ２に示すように、バンド部１５Ａをヒンジ部１５ｂ周りに回動させて矩形孔７ｅから取り出し、引き延ばす。その後、バンド結合部１６ａとバンド結合部１６ｂを連結させるのは同様である。
【００７２】
一方、支持部３を収納する際には、上記符号Ｈ１に示したように第２支持アーム部７Ｄを折り畳んだ後に、さらに第１支持アーム部７Ｃおよび第２支持アーム部７Ｄを、符号Ｈ３に示すように本体表示部２の接眼側に沿って折り畳み、図２１に示すように収納する。
【００７３】
また、図２３はバンド部の他の例を示す斜視図，図２４はバンド部の他の例を示す平面図である。
【００７４】
この第２支持部たるバンド部１５Ｂは、帯状をなすバンド本体部１５ｃを、ヒンジを避けるようにして弾性部材により形成された複数のクッション部１５ｄにより被覆したものであり、ヒンジ部１５ｂとバンド結合部１６ａ，１６ｂが設けられていることは上述と同様である。
【００７５】
次に、図２５は、上記第１支持アーム部７Ｃ内におけるバンド部１５Ａ，１５Ｂの収納状態の各種の例を示す図である。
【００７６】
図２５（Ａ）は、２ヶ所をヒンジとして屏風状に折り畳んだものである。
【００７７】
また、図２５（Ｂ）は、内側から外側に向かって右巻きに略巻回して収納したものである。一方、図２５（Ｃ）は、これとは逆に、内側から外側に向かって左巻きに略巻回して収納したものである。
【００７８】
また、図２５（Ｄ）は、ヒンジ部１５ｂをヒンジ部６ａの近傍に設けて、内側から外側に向かって右巻きに略巻回して収納したものである。これにより、収納時の折れ癖が内側に向かうものとなるために、バンド部を取り出した際に、図中の２点鎖線に示すような折れ癖となり、自発的に頭部に沿った形状となる利点がある。また、上記矩形孔７ｅをバンド部１５Ａ，１５Ｂ自体で覆うことも容易である。
【００７９】
このようにバンド部１５Ａ，１５Ｂを第１支持アーム部７Ｃに収納しているために、本体表示部２に収納する必要がなくなって該本体表示部２の大型化を防ぐことができるとともに、頭部装着型ディスプレイを装着する場合にも本体表示部２側が重くなることはなく、適切な重量バランスを保つことができる。
【００８０】
図２６から図２８を参照して、上記支持部３の構成の第４の例について説明する。図２６は第４の構成例の支持部を示す平面図およびそのＣ−Ｃ断面図、図２７は支持アーム部の周方向の径を徐々に変化させる構成例を示す図、図２８は弾性部材を設けた支持アーム部を有する頭部装着型ディスプレイを示す平面図である。
【００８１】
この支持部３は、図２６（Ａ）に示すように、上記支持部基部６と、この支持部基部６に対してヒンジ部６ａを介して回動可能に枢支された支持部たる支持アーム部７Ｅとを有して構成されている。
【００８２】
上記支持アーム部７Ｅは、上記ヒンジ部６ａにより支持されているアーム基部７ｇと、このアーム基部７ｇに対して支持部３の長手方向に沿った軸周りに回動可能となっている回動機構たる軸部７ｈと、この軸部７ｈと回動一体に構成された側頭保持部７ｉとを有して構成されている。
【００８３】
上記側頭保持部７ｉは、図２６（Ｂ）に示すように、自転軸７ｋに対して径の異なる複数の面を有して構成されていて、使用者の頭部の大小に合わせて調節することが可能となっている。
【００８４】
すなわち、図２６（Ａ）の左半分は、頭部が小さい使用者の場合を示しており、側頭保持部７ｉを回転させることで、側頭保持部７ｉの大きい径の側が頭部に接するように調節されている。
【００８５】
また、図２６（Ａ）の右半分は、頭部が大きい使用者の場合を示しており、側頭保持部７ｉを回転させることで、側頭保持部７ｉの小さい径の側が頭部に接するように調節されている。
【００８６】
図２７は、支持アーム部の構成の他の例を示したものである。この支持部たる支持アーム部７Ｆは、自転軸７ｋから周面までの距離が連続的に変化するように構成されていて、いわゆるカムに類似した構成となっている。
【００８７】
次に、図２８は、支持アーム部のさらに他の構成例を示したものである。
【００８８】
この支持部たる支持アーム部７Ｇは、使用者の頭部に当接する部分に、ゴムやスポンジ等により構成された弾性部材７ｍを設けて、頭部への当接圧力を拡散することにより、該頭部への接触感覚の向上や、通気性による使用感の快適性の向上を図ったものである。
【００８９】
図２９，図３０を参照して、上記支持部３の構成の第５の例について説明する。図２９は第５の構成例の支持部を示す平面図、図３０は第５の構成例の支持部において第２支持アーム部を移動した状態を示す側面図である。
【００９０】
この支持部３は、図２９に示すように、上記支持部基部６と、この支持部基部６に対してヒンジ部６ａを介して回動可能に枢支された第１の部材たる第１支持アーム部７Ｈと、この第１支持アーム部７Ｈに対して回動機構たる回転ヒンジ部７ｎを介して回動可能に支持された第２の部材たる第２支持アーム部７Ｉとを有して構成されていて、第２支持アーム部７Ｉの先端内側部には弾性部材７ｐが貼設されている。
【００９１】
上記回転ヒンジ部７ｎは、上記ヒンジ部６ａの回転軸に対して略垂直な方向である左右水平方向の回転軸を有しており、この回転ヒンジ部７ｎ周りに第２支持アーム部７Ｉを回転させると、該第２支持アーム部７Ｉが使用者の頭頂部側に移動するようになっている。
【００９２】
使用者が仰臥した姿勢をとった場合には、第２支持アーム部７Ｉが布団や枕に接触して邪魔になる可能性がある。そこで、上述のように頭頂部側に移動することができるように構成して、退避させるようにしたものである。
【００９３】
なお、このときの第２支持アーム部７Ｉの可動範囲としては、布団や枕などとは接触しないが、頭部装着型ディスプレイ１を使用者の頭部に保持するに足る保持力を発生させる程度であることが望ましい。
【００９４】
次に、図３１は、上記頭部装着型ディスプレイ１を用いたシステムの構成を示す斜視図である。
【００９５】
上記頭部装着型ディスプレイ１は、コード２３を介してコントローラ２０と接続されていて、このコントローラ２０はさらにコード２４を介して、レーザディスク（ＬＤ），ビデオカセットプレイヤー（ＶＨＳ），デジタルビデオディスク（ＤＶＤ）などの映像再生装置３０と接続されている。
【００９６】
上記コントローラ２０は、後述する確認等に用いる確認用スイッチたる押圧式のボタン２２と、モード切換用のスライド式のスイッチ手段たるスイッチ２１とを有しており、このスイッチ２１を中央位置に切り換えることでノーマルモード（通常モード）に設定され、左側に切り換えることで睡眠モード（睡眠前提モード）に設定され、右側に切り換えることで睡眠防止モードに設定されるようになっている。これらの各モードについては、後で詳しく説明する。
【００９７】
図３２は、上記頭部装着型ディスプレイ１を用いたシステムの主として電気的な構成を示すブロック図である。
【００９８】
上記ボタン２２とスイッチ２１の状態は、モード検出回路でありボタン検出回路を兼ねた制御手段たるＣＰＵ３１により検出されるようになっている。
【００９９】
このＣＰＵ３１には、所定周波数のパルスを出力するリアルクロック回路３２が接続されている。
【０１００】
一方、この頭部装着型ディスプレイ１は、後述するような各種のメッセージを表示することができるように構成されていて、メッセージ表示制御回路３４により表示するメッセージを画像メモリ３３から読み出して、必要に応じて映像入力端子３６から入力した映像信号に、画像合成回路３５において合成して、ＬＣＤ駆動回路４２に出力するようになっている。
【０１０１】
また、この頭部装着型ディスプレイ１は、後述するようなブザー音を発することができるように構成されていて、上記ＣＰＵ３１の出力に応じて、ブザー音制御回路３７が発する音量を制御するようになっている。
【０１０２】
さらに上記ＣＰＵ３１は、頭部装着型ディスプレイ１の電源制御回路４１からＬＣＤ駆動回路４２，バックライト駆動回路４４，音量制御回路４６の各々への供給電源を制御するようになっている。
【０１０３】
上記ＬＣＤ駆動回路４２は、上記画像合成回路３５の出力を受けて表示素子たるＬＣＤ４３を駆動し、映像等を表示するものである。
【０１０４】
上記バックライト駆動回路４４は、電源の供給を受けて、バックライト４５を点灯し、上記ＬＣＤ４３を照明させるものである。
【０１０５】
上記音量制御回路４６は、電源の供給を受けてスピーカ４７から音を発生させるものであり、上記ブザー音制御回路３７の出力を受けて、必要に応じてスピーカ４７からブザー音も発生させるようになっている。
【０１０６】
図３３は、上記コントローラ２０に設けられたスイッチ２１の構成を示す回路図である。
【０１０７】
上記スイッチ２１は、例えば図３３（Ａ）に示すように、２つの電気スイッチ２１ａ，２１ｂとこれらに各接続された抵抗により構成されていて、これら２つの電気スイッチ２１ａ，２１ｂの組み合わせにより達成される２ビット、つまり４通りの状態に、上記３つのモードを適宜配分したものである。一例としては、電気スイッチ２１ａ，２１ｂの組み合わせが、（オフ，オフ）であるときはノーマルモードとし、（オン，オフ）であるときは睡眠モードとし、（オフ，オン）であるときは睡眠防止モードとするようにすれば良い。もちろん、他の組み合わせも可能であることはいうまでもない。
【０１０８】
また、上記スイッチ２１を、図３３（Ｂ）に示すように、１つの電気スイッチ２１ｃにより構成することも可能である。この場合には、電気スイッチ２１ｃを１回オンにすることにより、ノーマルモード，睡眠モード，睡眠防止モードがサイクリックに切り替わるようにすれば良い。
【０１０９】
これらのスイッチの状態は、上述したように、モード検出回路である上記ＣＰＵ３１により検出されている。
【０１１０】
次に、このような構成によるモード制御の流れについて、図３４を参照して説明する。図３４は頭部装着型ディスプレイを用いたシステムのモード制御動作を示すフローチャートである。
【０１１１】
このモード制御の動作が始まると、まず上記スイッチ２１の状態を検出することにより、ノーマルモードに設定されているか否かを判断する（ステップＳ１）。
【０１１２】
ここでノーマルモードである場合には、通常の映像表示を行う（ステップＳ３）。
【０１１３】
一方、上記ステップＳ１においてノーマルモードでない場合には、上記リアルクロック回路３２の出力に基づいて例えば１分単位でカウントアップされるカウンタｘをリセットして０とし、タイマをスタートさせる（ステップＳ２）。
【０１１４】
次に、映像表示を行う（ステップＳ４）。この映像表示を行っている最中にも、上記スイッチ２１の状態を検出し（ステップＳ５）、スイッチ２１の状態が変化したことを検出した場合には、上記メッセージ表示回路３４により、例えば「時間を継続してモード変更する時は、ボタンを押して下さい。」などのメッセージを表示させる（ステップＳ６）。
【０１１５】
そして、上記ボタン２２が操作されたか否かを所定時間だけ検出し（ステップＳ７）、ボタン２２がオンになった場合には、現在のカウント値ｎをそのままカウンタｘに代入して、ｘ＝ｎとしてタイマをスタートさせ（ステップＳ８）、上記ステップＳ４に戻って映像表示を継続する。
【０１１６】
一方、上記ステップＳ７において、所定時間待ってもボタン２２が操作されなかった場合には、上記ステップＳ２へ戻ってカウンタをリセットし、上記ステップＳ４へ行って映像表示を継続する。
【０１１７】
また、上記ステップＳ５において、スイッチ２１がオンになっていない場合には、カウンタｘが所定値、例えば１２０に達したか否かを判断し（ステップＳ９）、達していない場合には上記ステップＳ４に戻って映像表示を継続する。
【０１１８】
このステップＳ９において、カウンタｘが所定値１２０に達したと判断された場合には、例えば図３５（Ａ）に示すように「２時間が経過しました。このまま映像を観る場合は、ボタンを押して下さい。」等のメッセージを表示させる（ステップＳ１０）。
【０１１９】
そして、上記ボタン２２が操作されたか否かを所定時間だけ検出し（ステップＳ１１）、ボタン２２がオンになった場合には、図３５（Ｂ）に示すようにボタン操作がなされたことを映像信号に重畳して表示し、上記ステップＳ２へ戻ってカウンタをリセットして、上記ステップＳ４へ行って映像表示を継続する。
【０１２０】
一方、上記ステップＳ１１において、所定時間待ってもボタン２２が操作されなかった場合には、現在のモードが睡眠モードであるか否かを判断し（ステップＳ１２）、睡眠モードになっている場合には、電源制御回路４１により電源をオフにする（ステップＳ１３）。
【０１２１】
また、上記ステップＳ１２において、睡眠モードでない場合には、さらに睡眠防止モードであるか否かを判断し（ステップＳ１４）、睡眠防止モードにもなっていない場合には、ノーマルモードであるために、上記ステップＳ３へ行って映像表示を行う。
【０１２２】
上記ステップＳ１４において、睡眠防止モードである場合には、ブザー音制御回路３７や音量制御回路４６を介してスピーカ４７により適宜の音量でブザー音を発生させ（ステップＳ１５）、このブザー音を受けて使用者がボタン２２を操作したかを判断する（ステップＳ１６）。
【０１２３】
ボタン２２が操作されるまでは、上記ステップＳ１５に戻ってブザーの発音を続け、ボタン２２が操作されたところでブザー音を停止して（ステップＳ１７）、上記ステップＳ２に戻ってタイマをリセットする。これにより、睡眠状態に入った使用者を、ブザー音により覚醒状態にすることができる。
【０１２４】
こうして、この頭部装着型ディスプレイ１には、図３６に示すように、映像停止スイッチを押すまでは普通に映像を表示し続けるノーマルモード（通常モード）と、一定時間（例えば１２０分）が経過すると映像表示を停止する旨の警告メッセージを表示し、その後ボタン２２が操作されれば映像を引き続き表示させ、ボタン２２が操作されない場合には映像の表示を停止させる睡眠モード（睡眠前提モード）と、一定時間（例えば１２０分）が経過すると（画像表示を停止する）警告メッセージを表示し、その後ボタン２２が操作されれば映像を引き続き表示させ、ボタン２２が操作されない場合には例えば数分後にブザー音により使用者の覚醒を促す睡眠防止モードとが設けられている。
【０１２５】
なお、上述では一定時間として１２０分を例に挙げたが、これに限るものではなく、さらには、適宜の操作スイッチを設けて、この時間を任意に変更することができるように構成すると良い。
【０１２６】
また、睡眠モードが設定されている場合には、上記バックライト駆動回路４４や音量制御回路４６の制御により、ノーマルモードや睡眠防止モードよりもバックライト４５の輝度やスピーカ４７の音量を低くするようにしてもよい。
【０１２７】
さらに、上記スイッチ２１により切り換えることができるモードを、１日の時間帯により異なる設定となるようにしても良い。例えばＡＭ７：００からＰＭ７：００まではノーマルモードから切り換えることができるのは睡眠防止モードのみとし、ＰＭ７：００からＡＭ７：００まではノーマルモードから切り換えることができるのは睡眠モードのみとするなどの設定を行うことも可能である。また、この時間帯の区分けを、使用者の任意に設定することができるようにしても良い。
【０１２８】
加えて、上述ではスイッチ２１は使用者により操作可能となるようにコントローラ２０に設けたが、これに限るものではなく、例えば上記本体表示部２を使用者の頭部に支持する支持部３を、上述したように使用者が立った姿勢や座った姿勢にあるときの第１の支持形態と、使用者が仰臥した姿勢にあるときの第２の支持形態とに変化可能に構成した場合には、上記支持部３がこれら第１の支持形態または第２の支持形態の何れにあるかに連動して、上記スイッチ２１が自動的に切り替わるように構成しても良い。
【０１２９】
以上説明したように、このような実施形態によれば、使用者が立った姿勢や座った姿勢をとったときと、仰臥した姿勢をとったときの何れにおいても、頭部装着型ディスプレイを良好に装着することができる。
【０１３０】
また、頭部装着型ディスプレイを、通常の状態で使用するか、睡眠を防止する状態で使用するか、睡眠を前提とした状態で使用するかに応じて、適切なモードを選択することができる。
【０１３１】
なお、本発明は上述した各実施形態に限定されるものではなく、発明の主旨を逸脱しない範囲内において種々の変形や応用が可能であることは勿論である。
【０１３２】
［付記］
以上詳述したような本発明の上記実施形態によれば、以下のごとき構成を得ることができる。
【０１３３】
（１）  表示素子と、この表示素子により表示された映像を使用者の眼に投影する光学系とを含む表示部と、この表示部を使用者の頭部に支持する支持手段と、を備えた頭部装着型ディスプレイと、
この頭部装着型ディスプレイの映像音声提示モードを切り換えるスイッチ手段と、
このスイッチ手段の出力に基づいて、上記頭部装着型ディスプレイの映像音声提示モードを、通常モードと、使用者の睡眠を防止するべく動作する睡眠防止モードと、使用者の睡眠を前提として動作する睡眠前提モードと、を含む複数のモードの内の一のモードに設定する制御手段と、
を具備したことを特徴とする頭部装着型ディスプレイシステム。
【０１３４】
（２）  上記スイッチ手段は、使用者により操作可能に設けられていることを特徴とする付記（１）に記載の頭部装着型ディスプレイシステム。
【０１３５】
（３）  上記頭部装着型ディスプレイシステムは、スピーカと、確認用スイッチとをさらに備え、
上記睡眠防止モードは、該モードが設定されて上記表示部により映像の表示が行われた後に一定時間が経過すると、該表示部により映像として視覚的な告知を行い、その後、上記確認用スイッチが操作されない場合には上記スピーカにより警告音声を発生するモードであり、
上記睡眠前提モードは、該モードが設定されて上記表示部により映像の表示が行われた後に一定時間が経過すると、該表示部により映像として視覚的な告知を行い、その後、上記確認用スイッチが操作されない場合には当該頭部装着型ディスプレイシステムの電源をオフにするモードであることを特徴とする付記（１）に記載の頭部装着型ディスプレイシステム。
【０１３６】
（４）  上記制御手段により設定可能なモードは、１日を複数に分割して設定される時間帯に応じて、上記複数のモードの内の一部が制限可能になされていることを特徴とする付記（１）に記載の頭部装着型ディスプレイシステム。
【０１３７】
（５）  上記頭部装着型ディスプレイは、上記表示部を使用者の頭部に支持する支持手段を、使用者の睡眠を前提としない第１の支持形態と、使用者の睡眠を前提とする第２の支持形態と、に変化可能になされ、上記スイッチ手段は、これら第１の支持形態または第２の支持形態にある支持手段に連動して自動的に切り替わるものであることを特徴とする付記（１）に記載の頭部装着型ディスプレイシステム。
【０１３８】
（６）  上記睡眠前提モードにおいて上記表示素子により表示される映像の明るさは、上記睡眠防止モードにおいて該表示素子により表示される映像の明るさよりも暗くなるように構成されていることを特徴とする付記（１）に記載の頭部装着型ディスプレイシステム。
【０１３９】
（７）  上記睡眠前提モードにおいて上記スピーカにより発せられる音声の大きさは、上記睡眠防止モードにおいて該スピーカにより発せられる音声の大きさよりも小さくなるように構成されていることを特徴とする付記（１）に記載の頭部装着型ディスプレイシステム。
【０１４０】
付記（１）に記載の発明によれば、頭部装着型ディスプレイを、通常の状態で使用するか、睡眠を防止する状態で使用するか、睡眠を前提とした状態で使用するかに応じて、適切なモードを選択することができる。
【０１４１】
付記（２）に記載の発明によれば、付記（１）に記載の発明と同様の効果を奏するとともに、使用者がスイッチ手段を操作して、所望のモードを設定することができる。
【０１４２】
付記（３）に記載の発明によれば、付記（１）に記載の発明と同様の効果を奏するとともに、睡眠防止モードにおいては視覚的な告知や警告音声により睡眠に入るのを妨げることができ、睡眠前提モードにおいては使用者が睡眠状態にあると推定される場合に自動的に電源をオフにすることができる。
【０１４３】
付記（４）に記載の発明によれば、付記（１）に記載の発明と同様の効果を奏するとともに、一日の時間帯に応じた適切なモード選択を行うことができる。
【０１４４】
付記（５）に記載の発明によれば、付記（１）に記載の発明と同様の効果を奏するとともに、頭部装着型ディスプレイの支持形態に応じて、自動的にモードが切り替わるために、モード設定をする手間を省くことができる。
【０１４５】
付記（６）に記載の発明によれば、付記（１）に記載の発明と同様の効果を奏するとともに、モードに応じた適切な表示素子の明るさが自動的に設定されて、使用感が向上する。
【０１４６】
付記（７）に記載の発明によれば、付記（１）に記載の発明と同様の効果を奏するとともに、モードに応じた適切なスピーカの音声の大きさが自動的に設定されて、使用感が向上する。
【０１４７】
【発明の効果】
以上説明したように請求項１による本発明の頭部装着型ディスプレイによれば、使用者が複数の姿勢を取った場合にも良好な装着状態を得ることができる。
【０１４８】
また、請求項２による本発明の頭部装着型ディスプレイによれば、請求項１に記載の発明と同様の効果を奏するとともに、第２の支持形態においては第１支持部が使用者による映像の観察を妨げることがない。
【０１４９】
さらに、請求項３による本発明の頭部装着型ディスプレイによれば、請求項２に記載の発明と同様の効果を奏するとともに、使用者が寝た姿勢をとった場合にも、良好に頭部に支持することができる。
【０１５０】
請求項４による本発明の頭部装着型ディスプレイによれば、請求項３に記載の発明と同様の効果を奏するとともに、表示部が大型化することがなく、適切な重量バランスを保って収納することができる。
【０１５１】
請求項５による本発明の頭部装着型ディスプレイによれば、請求項２に記載の発明と同様の効果を奏するとともに、第１支持部が使用者の頭部に接触しない位置に退避されて、第２支持部による装着感を損なうことがない。
【０１５２】
請求項６による本発明の頭部装着型ディスプレイによれば、請求項２に記載の発明と同様の効果を奏するとともに、特別な部材を設けることなく、表示部と使用者の眼との距離を適切に保持することができ、第２の支持形態における装着の安定性を高めることができる。
【０１５３】
請求項７による本発明の頭部装着型ディスプレイによれば、請求項２に記載の発明と同様の効果を奏するとともに、特別な部材を設けることなく、第２の支持形態における側頭部側の装着の安定性を高めることができる。
【０１５４】
請求項８による本発明の頭部装着型ディスプレイによれば、請求項１に記載の発明と同様の効果を奏するとともに、使用者の頭部に接触する支持部の面を変更可能となる。
【０１５５】
請求項９による本発明の頭部装着型ディスプレイによれば、請求項８に記載の発明と同様の効果を奏するとともに、使用者の頭部に合わせて、適切な支持部の面を選択することが可能となる。
【０１５６】
請求項１０による本発明の頭部装着型ディスプレイによれば、請求項８に記載の発明と同様の効果を奏するとともに、装着時の違和感が緩和されて、良好な装着感を得ることができる。
【０１５７】
請求項１１による本発明の頭部装着型ディスプレイによれば、請求項１に記載の発明と同様の効果を奏するとともに、使用者が仰臥した姿勢をとる際には、第２の部材を頭頂部側に回動させることにより、該第２の部材が枕等と抵触するのを回避することができる。
【０１５８】
請求項１２による本発明の頭部装着型ディスプレイによれば、請求項１に記載の発明と同様の効果を奏するとともに、表示部と使用者の眼との距離を適切に保持することができ、第２の支持形態における装着の安定性を高めることができる。
【図面の簡単な説明】
【図１】本発明の一実施形態の頭部装着型ディスプレイの基本的な構成を示す側面図。
【図２】上記実施形態の頭部装着型ディスプレイの第１の支持形態を示す側面図。
【図３】上記実施形態の頭部装着型ディスプレイの第１の支持形態を示す平面図。
【図４】上記実施形態の頭部装着型ディスプレイの第２の支持形態を示す側面図。
【図５】上記実施形態の額当て部材の他の例を示す側面図。
【図６】上記図５のＡ−Ａ断面図。
【図７】上記実施形態の頭部装着型ディスプレイの支持部の第１の支持形態を示す斜視図。
【図８】上記実施形態の頭部装着型ディスプレイの支持部の第２の支持形態を示す斜視図。
【図９】上記実施形態の頭部装着型ディスプレイの支持部を第１の支持形態から第２の支持形態へ変化させるときの様子を示す平面図および側面図。
【図１０】上記図９のＢ−Ｂ断面図。
【図１１】上記実施形態の頭部装着型ディスプレイの支持部の第２の支持形態を示す平面図。
【図１２】上記実施形態の頭部装着型ディスプレイの支持部の第１の支持形態を示す側面図。
【図１３】上記実施形態において、第２の構成例の支持部の第１の支持形態を示す斜視図。
【図１４】上記実施形態において、第２の構成例の支持部の第２の支持形態を示す斜視図。
【図１５】上記実施形態において、第２の構成例の支持部を第１の支持形態から第２の支持形態へ変化させるときの様子を示す平面図。
【図１６】上記実施形態の第２支持アーム部の変形例を示す要部平面図。
【図１７】上記実施形態において、第２の構成例の支持部を折り畳んだ状態を示す背面図。
【図１８】上記実施形態において、第３の構成例の支持部の第１の支持形態を示す斜視図。
【図１９】上記実施形態において、第３の構成例の支持部の第２の支持形態を示す斜視図。
【図２０】上記実施形態において、第３の構成例の支持部を第１の支持形態から第２の支持形態へ変化させるときの様子を示す平面図。
【図２１】上記実施形態において、第３の構成例の支持部を折り畳んだ状態を示す背面図。
【図２２】上記実施形態の収納時と伸長時のバンド部を示す平面図。
【図２３】上記実施形態において、他の構成例のバンド部の一部を示す斜視図。
【図２４】上記実施形態において、収納時と伸長時の他の構成例のバンド部を示す平面図。
【図２５】上記実施形態において、第１支持アーム部内におけるバンド部の収納状態の各種の例を示す平面図。
【図２６】上記実施形態において、第４の構成例の支持部を示す平面図およびそのＣ−Ｃ断面図。
【図２７】上記実施形態において、支持アーム部の周方向の径を徐々に変化させる構成例を示す図。
【図２８】上記実施形態において、弾性部材を設けた支持アーム部を有する頭部装着型ディスプレイを示す平面図。
【図２９】上記実施形態において、第５の構成例の支持部を示す平面図。
【図３０】上記実施形態において、第５の構成例の支持部の第２支持アーム部を移動した状態を示す側面図。
【図３１】上記実施形態の頭部装着型ディスプレイを用いたシステムの構成を示す斜視図。
【図３２】上記実施形態の頭部装着型ディスプレイを用いたシステムの主として電気的な構成を示すブロック図。
【図３３】上記実施形態のコントローラに設けられたスイッチの構成を示す回路図。
【図３４】上記実施形態の頭部装着型ディスプレイを用いたシステムのモード制御動作を示すフローチャート。
【図３５】上記実施形態の頭部装着型ディスプレイを用いたシステムのモード制御動作時に表示される画像の例を示す図。
【図３６】上記実施形態の頭部装着型ディスプレイを用いたシステムにおけるモードを示す図表。
【符号の説明】
１…頭部装着型ディスプレイ
２…本体表示部（表示部）
３…支持部（支持手段）
５，５Ａ…額当て部材（第２支持部）
６…支持部基部（折り畳み機構）
６ａ…ヒンジ部
７…支持アーム部（第１支持部）
７Ａ，７Ｃ，７Ｈ…第１支持アーム部（第１の部材）
７Ｂ，７Ｄ，７Ｉ…第２支持アーム部（第２の部材）
７Ｅ，７Ｆ，７Ｇ…支持アーム部（支持部）
７ｈ…軸部（回動機構）
７ｋ…自転軸
７ｍ…弾性部材
７ｎ…回転ヒンジ部（回動機構）
１２…表示素子
１３…光学系
１５，１５Ａ，１５Ｂ…バンド部（第２支持部）
２０…コントローラ
２１…スイッチ（スイッチ手段）
２２…ボタン（確認用スイッチ）
３１…ＣＰＵ（制御手段）
３４…メッセージ表示制御回路
３７…ブザー音制御回路
４１…電源制御回路
４３…ＬＣＤ（表示素子）
４５…バックライト
４７…スピーカ
【図１】
0003772008.tif 000002
【図２】
0003772008.tif 000003
【図３】
0003772008.tif 000004
【図４】
0003772008.tif 000005
【図５】
0003772008.tif 000006
【図６】
0003772008.tif 000007
【図７】
0003772008.tif 000008
【図８】
0003772008.tif 000009
【図９】
0003772008.tif 000010
【図１０】
0003772008.tif 000011
【図１１】
0003772008.tif 000012
【図１２】
0003772008.tif 000013
【図１３】
0003772008.tif 000014
【図１４】
0003772008.tif 000015
【図１５】
0003772008.tif 000016
【図１６】
0003772008.tif 000017
【図１７】
0003772008.tif 000018
【図１８】
0003772008.tif 000019
【図１９】
0003772008.tif 000020
【図２０】
0003772008.tif 000021
【図２１】
0003772008.tif 000022
【図２２】
0003772008.tif 000023
【図２３】
0003772008.tif 000024
【図２４】
0003772008.tif 000025
【図２５】
0003772008.tif 000026
【図２６】
0003772008.tif 000027
【図２７】
0003772008.tif 000028
【図２８】
0003772008.tif 000029
【図２９】
0003772008.tif 000030
【図３０】
0003772008.tif 000031
【図３１】
0003772008.tif 000032
【図３２】
0003772008.tif 000033
【図３３】
0003772008.tif 000034
【図３４】
0003772008.tif 000035
【図３５】
0003772008.tif 000036
【図３６】
0003772008.tif 000037